(57)【要約】【課題】スロットルシャフトの端部にインダクタンス式の非接触式回転角度検出装置をコンパクトに形成した信頼性の高いモータ駆動式の絞り弁制御装置を得る。【解決手段】本発明は絞り弁が取付けられた回転軸の先端部に励起導体を取付け、この励起導体に対面するように励磁導体および信号検出導体をギアカバーに一体成形し、励磁導体および信号検出導体を遮蔽材で覆う。励磁導体と信号発生導体を回転体側の励起導体が配置された空間から遮蔽でき、回転体側の環境に影響されることのない信頼性の高いインダクタンス式の非接触式回転角度検出装置を備えたモータ駆動式の絞り弁制御装置が得られる。【選択図】  図１
2011002312.tif 000002
【特許請求の範囲】
【請求項１】
被回転検出体を覆うケース部材、
前記ケース部材に環状に配設されると共に、電流の印加によって磁界を発生する励磁導体部、
前記被回転検出体に固定されると共に、前記励磁導体部と間隔を保って非接触状態に配置され、電磁作用によって前記被回転検出体の回転位置に応じた電流を発生する励起導体部、
前記ケース部材に配設されると共に、前記励起導体に流れる電流に応じた電流が発生する受信導体部を備えた回転検出装置であって、
前記ケース部材が樹脂製であり、前記励磁導体部と受信導体部が前記樹脂ケースの樹脂成形によりに前記ケース部材と一体成形されている
回転検出装置。
【請求項２】
請求項１に記載したものにおいて、
前記励磁導体部と前記受信導体部とが１次成形により固定された後、
２次成形によりケース部材に配設された
回転検出装置。
【請求項３】
請求項１に記載したものにおいて、
前記励磁導体部と前記受信導体部とが２層の層構成により形成された
回転検出装置。
【請求項４】
請求項１に記載したものにおいて、
前記励磁導体部と前記受信導体部とが１層の層構成により形成された
回転検出装置。
【請求項５】
請求項３に記載したものにおいて、
前記励磁導体部と前記受信導体部を構成する２層の層が導体により接合された
回転検出装置。
【請求項６】
請求項１に記載したものにおいて、
前記励磁導体部と前記受信導体部に加えて、回転角度を演算するマイクロコンピュータも一体成形により配設される
回転検出装置。
【請求項７】
請求項６に記載したものにおいて、
前記励磁導体部と前記受信導体部および前記マイクロコンピュータが１次成形により固定された後、
２次成形によりケース部材に配設された
回転検出装置。
【請求項８】
請求項６に記載したものにおいて、
前記マイクロコンピュータが導電性の接着剤により前記励磁導体部および前記受信導体部が整形された樹脂部に接合された
回転検出装置。
【請求項９】
請求項６に記載したものにおいて、
前記マイクロコンピュータがワイヤボンディングまたは溶接により前記励磁導体部および前記受信導体部と接合された
回転検出装置。
【請求項１０】
請求項１に記載したものにおいて、
回転角度を演算するマイクロコンピュータが導電性の接着剤により前記励磁導体部および前記受信導体部と接合された
回転検出装置。
【請求項１１】
請求項１に記載したものにおいて、
回転角度を演算するマイクロコンピュータがワイヤボンディングまたは溶接により前記励磁導体部および前記受信導体部と接合された
回転検出装置。
【請求項１２】
請求項１に記載したものにおいて、
前記励磁導体部と前記受信導体部が前記ケース部材の樹脂またはコーティング剤により覆われた
回転検出装置。
【発明の詳細な説明】
【技術分野】
【０００１】
本発明は、回転体の回転軸に取付けられた導体とこれに対面する固定子に取付けたコイル導体との間のインダクタンスが両者の位置関係に応じて変化することを利用して、回転する導体の回転位置を検出する回転角度検出装置に関する。
【０００２】
また、モータによって駆動される絞り弁で内燃機関の空気通路の開口面積を電気的に制御するモータ駆動式の絞り弁制御装置であって、絞り弁の回転角度を検出するために上記した回転角度検出装置を備えたものに関する。
【背景技術】
【０００３】
インダクタンスの変化によって回転体の位置あるいは回転角度を検出するいわゆる非接触式の回転角度検出装置としては、特開２００８−９６２３１号公報に記載したものが知られている。
【０００４】
この回転検出装置は、被回転検出体を覆うケース上に基板搭載空間が設けられている。回転検出装置の励磁導体と受信導体は基板上に形成され、前記基板搭載空間に接着剤により固定され搭載される。また、前記ケースには樹脂フィルムが接着され、前記励磁導体と前記受信導体をＳＯ2等の腐食性ガスから保護している。
【０００５】
また、モータ駆動式の絞り弁制御装置の回転角度検出装置としてこの種回転角度検出装置を用いることが提案されている。
【先行技術文献】
【特許文献】
【０００６】
【特許文献１】特開２００８−９６２３１号公報
【発明の概要】
【発明が解決しようとする課題】
【０００７】
従来のこの種の非接触式の回転角度検出装置は励磁導体と受信導体が形成された基板をケース上に接着剤で固定し、ケース上のターミナルとの間を別な部材を介し接合しており、部品点数が多く組立が複雑となり、装置も大きくなるという問題があった。
【０００８】
また、接着剤により固定されるため、接合部の信頼性の保証が難しいといった問題があった。
【０００９】
また、後者の従来技術のようにモータ駆動式の絞り弁制御装置に採用するに際しては電子部品を搭載した基板が吸気通路からの水分や化学物質あるいは、ギアや軸受部の摩耗粉である樹脂粉や金属粉に晒され、酸化や腐食あるいは電磁気的劣化を生じる可能性がある。このためこのような要因で信頼性が低下するという問題を考慮する必要がある。
【００１０】
また、回転する導体と固定（検出）側のコイル部を有する基板との間のクリアランスが大きくなると、電磁誘導作用が弱くなり、位置検出精度が悪化する可能性がある。
【００１１】
本発明の目的の一つは、ケース部材と励磁導体および受信導体の接合の信頼性が高い小型のインダクタンス式回転角度検出装置を得ることである。
【００１２】
また第２の目的は、モータ駆動式の絞り弁制御装置に搭載しても十分な信頼性と検出精度が確保できるようにすることである。
【課題を解決するための手段】
【００１３】
本発明は上記の目的を達成するために励磁導体と受信導体を被回転検出体を覆うケースと一体成形することにより配設する。
【００１４】
また、薄膜の遮蔽剤を用いることにより励磁導体と受信導体を励起導体が配置された空間から遮蔽する。
【発明の効果】
【００１５】
本発明に拠れば、被回転体の回転軸の端部にインダクタンス式の非接触式回転角度検出装置をコンパクトに形成でき、小型の回転角度検出装置あるいはそれを備えたモータ駆動式の絞り弁制御装置が得られる。
【００１６】
好適な構成に拠れば、信号検出部が回転体の部屋から隔離でき、回転体側の環境に影響されることのない信頼性の高い回転角度検出装置あるいはそれを備えたモータ駆動式の絞り弁制御装置が得られる。
【図面の簡単な説明】
【００１７】
【図１】インダクタンス式の非接触型回転角度検出装置の要部拡大断面図。
【図２】インダクタンス式の非接触型回転角度検出装置の主要部分解斜視図。
【図３】インダクタンス式の非接触型回転角度検出装置の主要部品斜視図。
【図４】ディーゼルエンジン車に用いるモータ駆動式の絞り弁制御装置の断面図。
【図５】ディーゼルエンジン車に用いるモータ駆動式の絞り弁制御装置のギアカバーの分解斜視図。
【図６】ディーゼルエンジン車に用いるモータ駆動式の絞り弁制御装置の外観斜視図。
【図７】ディーゼルエンジン車に用いるモータ駆動式の絞り弁制御装置のギアカバーをはずした斜視図。
【図８】ディーゼルエンジン車に用いるモータ駆動式の絞り弁制御装置のスロットルボディ側分解斜視図。
【図９】ディーゼルエンジン車に用いるモータ駆動式の絞り弁制御装置のギア収納室の平面図。
【発明を実施するための形態】
【００１８】
以下図面に基づいて本発明の実施例を説明する。
【実施例１】
【００１９】
図１〜図３に基づき本発明になる回転角度検出装置の一実施例を説明する。
【００２０】
図１に示すように、回転軸１Ａの先端に樹脂成形体で構成される有低筒状（カップ状）のホルダ１Ｂが取付けられている。ホルダ１Ｂの先端面には絶縁材製の円板１Ｃが接着により固定される。ホルダ１Ｂの先端面には環状の窪み１Ｅが形成されており、この窪み１Ｅに接着剤が流し込まれ円板１Ｃがその上に載せられ、接着される。円板１Ｃの表面（接着面の反対側の面）には後述する励起導体１Ｄが印刷されている。
【００２１】
ホルダ１Ｂの筒状部の周囲には軸方向に延びる溝と、軸方向に延びる凸条が交互に形成されており、回転体１Ａの内周面にはホルダ１Ｂの周囲の溝と凸条に対して嵌め合い部を構成するように凹凸部が形成されている。両者は嵌め合い面で、接着剤によって接着してもよい。かくして、嵌め合い部はホルダ１Ｂの周り止めとなり、また位置決めとしても機能する。
【００２２】
励起導体１Ｄは３本一組の放射状に延びる直線部分１Ｄ１と、互いに隣接する直線部分１Ｄ１の内周側と外周側を接続するように設けられた弧状部分１Ｄ２，１Ｄ３とから構成されている。直線部分１Ｄ１は互いに６０度の間隔を置いて６箇所配置されている。
【００２３】
センサのケース２Ａには励磁導体３Ａ，３ａおよび信号検出導体３Ｂ，３ｂがケース２Ａと一体成形することにより配置される。励磁導体３ａと信号検出導体３ｂの励起導体１Ｄ側の表面は薄肉遮蔽剤２Ｂがケース２Ａと一体成形されることにより励起導体１Ｄが配置される空間と遮断される。
【００２４】
図３は、励磁導体３Ａ，３ａ，信号検出導体３Ｂ，３ｂ，端子３Ｋ１−３Ｋ５が一時成形された状態の斜視図である。励磁導体３Ａ，３ａ，信号検出導体３Ｂ，３ｂ，端子３Ｋ１−３Ｋ５は一時成形部材２Ｃ，２Ｄと共に一体成形することによりそれぞれの位置関係が固定される。
【００２５】
図２に示すように１層目の層には、環状の励磁導体３Ａが４本配置されている。またその内側には放射状に延びる信号検出導体３Ｂが複数本配置されている。２層目の層にもこれと同様の励磁導体３Ａおよび信号検出導体３Ｂが印刷されており、１層目と２層目の励磁導体３Ａおよび信号検出導体３Ｂが導電体の部材３Ｃ−３Ｆによって繋がっている。
【００２６】
この実施例では、１２０度位相がずれた３相の交流信号が信号検出導体３Ｂから得られるように構成されている。
【００２７】
３Ｌはマイクロコンピュータで、それぞれの非接触型の回転角度検出装置の駆動制御と信号処理機能を有する。
【００２８】
マイクロコンピュータには端子３Ｋ１−３Ｋ３が電気的に接合されている。端子３Ｋ１−３Ｋ３は１本が電源端子（例えば３Ｋ１）で、１本がグランド端子（例えば３Ｋ３）、残りの１本３Ｋ２が角度検出装置の信号出力端子として機能する。
【００２９】
マイクロコンピュータ３Ｌは電源端子３Ｋ１から励磁導体３Ａに電流を供給し、信号検出導体３Ｂに発生する３相の交流電流波形を処理して、励起導体１Ｄが取付けられた円板１Ｃの回転位置を検出し、結果的に回転軸１Ａの回転角度を検出する。
【００３０】
以下実施例の非接触型のインダクタンス式回転角度検出装置の動作について説明する。
【００３１】
マイクロコンピュータ３Ｍは基本的に図１の表裏に形成された第１回転角度検出装置を構成する導体パターン群３Ａ，３Ｂを制御するものと考えてよい。
【００３２】
マイクロコンピュータ３Ｌは電源端子３Ｋ１から励磁導体３Ａに直流電流Ｉａを供給する。
【００３３】
励磁導体３Ａに直流電流Ｉａが流れると、この励磁導体３Ａに対面する円板１Ｃの励起導体１Ｄの外周弧状導体１Ｄ３に電流Ｉａと逆向きの電流ＩＡが励起される。この励起された電流ＩＡは、励起導体ＩＤ全体に矢印の方向に流れる。放射方向導体１Ｄ１に流れる電流ＩＲはこの部分に対面する信号検出導体３Ｂの放射状導体部に電流ＩＲに対して逆向きの電流Ｉｒを誘起する。この電流Ｉｒは交流電流となる。
【００３４】
放射状に等間隔で配置された信号検出導体３Ｂによって回転角度検出装置用の３組の相（Ｕ，Ｖ，Ｗ層）パターンとが形成される。
【００３５】
交流電流Ｉｒは円板１Ｃが特定の回転位置、例えばスタート位置（回転角度がゼロの位置）のときＵ，Ｖ，Ｗ層のそれぞれの層で１２０度位相がずれた交流電流となる。
【００３６】
円板が回転するとこれら３相の交流電流の位相が相互にずれる。マイクロコンピュータ３Ｌがこの位相のずれを検出し、位相のずれから、円板１Ｃがどれだけ回転したかを検出する。
【００３７】
次に上記非接触式の回転角度検出装置をディーゼルエンジン用のモータ駆動式絞り弁（スロットル弁）制御装置に適用した例を図４〜図９を参照して具体的に説明する。
【００３８】
図４はその主要断面図であり、図５〜図９は詳細構造を説明するための分解斜視図である。
【００３９】
以下モータ駆動式の絞り弁制御装置の構成について説明する。
【００４０】
アルミダイキャスト製の絞り弁組体（以下スロットルボディと呼ぶ）６には吸気通路１（以下ボアと呼ぶ）とモータ２０収納用のモータハウジング２０Ａが一緒に成型されている。
【００４１】
スロットルボディ６にはボア１の一つの直径線に沿って金属製の回転軸（以下スロットルシャフトと呼ぶ）３が配置されている。スロットルシャフト３の両端はボールベアリング９，１０の内輪に嵌合固定されている。ボールベアリング９，１０の外輪はスロットルボディ６に設けた軸受ボス部７，８に圧入固定されている。
【００４２】
かくしてスロットルシャフト３は回スロットルボディ６に対して転可能に支持されている。スロットルシャフト３には金属材製の円板で構成される絞り弁（以下スロットル弁と呼ぶ）２がスロットルシャフト３に設けたスリットに差し込まれ、ねじ４，５でスロットルシャフト３に固定されている。
【００４３】
かくして、スロットルシャフト３が回転するとスロットル弁２が回転し、結果的に吸気通路の断面積が変化してエンジンへの吸入空気流量が制御される。
【００４４】
モータハウジング２０Ａはスロットルシャフト３とほぼ並行に形成されており、ブラシ式直流モータで構成されるモータ２０がモータハウジング２０Ａ内に差込まれ、スロットルボディ６の側壁６Ａにモータ２０のブラケット２０Ｂのフランジ部をねじ２１でねじ止めすることで固定されている。
【００４５】
軸受ボス部８の開口はキャップ１１で封止されており、軸受ボス部９側はスロットルシャフト３と軸受ボス部９の内壁との間にシールリング１２を配置して、シャフトシール部を構成し、機密を保つよう構成されている。
【００４６】
これにより、軸受部からの空気の漏れ、あるいは軸受の潤滑用のグリースが外気中や、後述するセンサ室に漏れ出すのを防止している。
【００４７】
モータ２０の回転軸端部には歯数の最も少ない金属製のギア２２が固定されている。このギア２２が設けられた側のスロットルボディ側面部にはスロットルシャフト３を回転駆動するための減速歯車機構やばね機構が纏めて配置されている。そして、これら機構部は、スロットルボディ６の側面部に固定される樹脂材製のカバー（以下ギアカバーと呼ぶ）で覆われている。そして、このギアカバーで覆われた、いわゆるギア収納室２７に図１乃至３で説明したインダクタンス式の非接触型回転角度検出装置（以下スロットルセンサと呼ぶ）が設けられ、スロットルシャフト３の回転角度、結果的にはスロットル弁２の開度が検出される。
【００４８】
上記した回転角度検出装置を適用したモータ駆動式の絞り弁制御装置では、シャフトシール１２からギア収納室２７に漏れる窒素や、水分のような化学物質や、グリースやギアの摩耗粉などの付着からスロットルセンサの特に信号検出導体や励磁導体を保護できる。
【００４９】
ギア収納室２７側のスロットルシャフト３の端部にはスロットルギア１３が固定されている。スロットルギア１３は金属プレート１４と、この金属プレート１４に樹脂成形された樹脂材製ギア部１５とから構成されている。金属プレート１４の中心部にはカップ状の凹部を備えられ、凹部の開放側端部にギア成型用のフランジ部を有する。このフランジ部に樹脂成形によって樹脂材製ギア部１５がモールド成型されている。
【００５０】
金属プレート１４は凹部の中央に孔を有する。スロットルシャフト３の先端部の周囲にはねじ溝が刻まれている。金属プレート１４の凹部の孔にスロットルシャフト３の先端を差込み、ねじ部にナット１７を螺合することでスロットルシャフト３に金属プレート１４を固定する。かくして、金属プレート１４及び、そこに成形された樹脂材製ギア部１５はスロットルシャフト３と一体に回転する。
【００５１】
スロットルギア１３の背面とスロットルボディ６の側面との間に弦巻ばねで形成されたリターンスプリング１６が軸方向に圧縮された状態で挟持されている。その結果、スロットルシャフト３は常時、図４の右方向に予荷重が作用し、これにより、ボールベアリングのギャップによる軸方向のがたつきが抑制されている。
【００５２】
リターンスプリング１６の片側は軸受ボス７の周囲を取巻き、その先端がスロットルボディ６に形成された切欠きに係止され、端部は回転方向には回転できないように構成されている。他端は金属プレート１４のカップ状部を取巻き、その先端が金属プレート１４に形成された孔に係止され、こちらの端部も回転方向には回転できないように構成されている。
【００５３】
本実施例はディーゼルの絞り弁制御装置に関するため、スロットル弁２のイニシャル位置、つまりモータ２０の電源が切断されているときにスロットル弁２が初期位置として、与えられている開度位置は全開位置である。
【００５４】
このため、リターンスプリング１６はモータ２０が通電されていないときスロットル弁２が全開位置を維持するよう回転方向に予荷重が与えられている。
【００５５】
モータ２０の回転軸に取付けられたギア２２とスロットルシャフト３に固定されたギア２５との間にはスロットルボディ６の側面に圧入固定された金属材製の軸２４に回転可能に支持された中間ギア２３が噛み合っている。中間ギア２３はギア２２と噛み合う大径ギア２３Ａとスロットルギア１３と噛み合う小径ギア２３Ｂとから構成されている。両ギアは樹脂成形により一体に成型される。これらギア２２，２３Ａ，２３Ｂ，１５は２段の減速歯車機構を構成している。
【００５６】
かくして、モータ２０の回転はこの減速歯車機構を介してスロットルシャフト３に伝達される。
【００５７】
これら減速機構やばね機構は樹脂材製のギアカバー２５によって覆われている。ギアカバー２５の開口端側周縁にはシール部材３１を挿入する溝が形成されており、シール部材３１がこの溝に装着された状態で、ギアカバー２５をスロットルボディ６に被せると、シール部材３１がスロットルボディ６の側面に形成されているギア収納室２７の周囲のフレームの端面に密着してギア収納室２７内を外気から遮蔽する。この状態でギアカバー２５をスロットルボディ６に６本のねじ２６で固定する。
【００５８】
このように構成された減速歯車機構とこれを覆うギアカバーとの間に形成された回転角度検出装置すなわちスロットルセンサについて以下具体的に説明する。
【００５９】
スロットルギア１３のカップ状部の内周部に、樹脂ホルダ１９の筒状部の外周が上記で説明した凹凸嵌め合い状態で固定される。樹脂ホルダ１９の先端の平面部には導電板１８が印刷された円板が接着により取付けられている。
【００６０】
したがって、モータ２０が回転してスロットル弁２が回転すると、導電板１８も一体に回転する。
【００６１】
ギアカバー２５にはスロットルセンサの励磁導体２７と信号検出導体２８が導電板１８に対面する位置に薄肉樹脂材２９を挟んで固定されている。
【００６２】
このギア収納室２７にセンサの励磁導体２７と信号検出導体２８を配すると、ギア等機構部品の摩耗粉及びギア収納室２７の空気の膨張圧縮による結露にさらされる。
【００６３】
さらに、ディーゼルエンジンに電子制御スロットルボディを搭載することを考慮すると、ＳＯ2（二酸化硫黄）やＳ８等の硫黄系の化学物質がボア１から、軸受９，シールリング１２部を通りギア収納室２７へ流入し、硫化物によって励磁導体２７と信号検出導体２８が腐食する虞がある。
【００６４】
そこで本実施例は前記課題を解決するために、図４及び図５に示すようにギアカバー２５に薄肉樹脂材２９を設けて、励磁導体２７と信号検出導体２８をギア収納室２７と遮断することにより、上記課題を克服できる。
【００６５】
また、ギア収納室２７と励磁導体２７および信号検出導体２８を薄肉樹脂材２９で遮断することで、非接触式回転角度検出装置の精度に影響を及ぼす導電体１８と励磁導体２７および信号検出導体２８のクリアランスを必要以上に大きくしなくてもよい構造となるため、スラスト寸法に関連する部品の公差もラフにでき、結果として小型で安価な電子制御スロットルボディを提供することができる。
【００６６】
ここで、リターンスプリング１６は導電板１８を薄肉樹脂材２９の直近まで押し、そこで導電板１８が軸方向に必要以上にがたつかないように保持する機能を奏する。これにより導電板１８と励磁導体２７および信号検出導体２８との小さなクリアランスが、長期的に維持できるので、非接触式回転角度検出装置の精度の維持が可能となる。
【００６７】
図９にはギア収納室２７の平面図が示されている。ギアカバー２５が固定されるフレーム６Ｆによってギア収納室２７は区画されている。フレーム６Ｆの内側にはギアカバー２５をねじ止めするためのねじ孔が６箇所見える。６Ｐ１−６Ｐ３はギアカバー２５の位置決め用の壁で、この３箇所の壁にギアカバー２５の位置決め突起が係死することで励磁導体２７および信号検出導体２８が回転側の導体と位置決めされ要求される許容範囲内の信号を出力することができる。全開ストッパ１３Ａはスロットルギア１３のイニシャル位置（つまり、全開位置）を機械的に決めるもので、スロットルボディの側壁に一体に形成された突起で構成されている。
【００６８】
この突起にスロットルギア１３の切欠き終端部が当接することで、スロットルシャフト３は全開位置を越えて回転できない。
【００６９】
全閉ストッパ１３Ｂはスロットルシャフト３の全閉位置を規制するもので、スロットルギア１３の反対側の終端１３Ｃが全閉位置において、全閉ストッパ１３Ｂに衝突し、全閉位置以上にスロットルシャフト３が回転するのを阻止する。これにより、スロットルシャフト３の端部に固定した固定側の導体（励起導体１８）の回転方向の位置の最大値が決定される。
【００７０】
これらストッパの位置における。信号検出導体（図２の符号１Ｃで示されたものに対応する）の出力が全閉，全開値を示す。２０Ｂはモータブラケットを、２０Ｆはモータブラケット２０Ｂのフランジ部を示す。
【産業上の利用可能性】
【００７１】
実施例は、ディーゼルエンジン車用モータ駆動式の絞り弁制御装置（モータ駆動式の絞り弁制御装置）にインダクタンス式の非接触型回転検出装置を搭載したものについて説明したが、電子制御スロットル（モータ駆動式の絞り弁制御装置）に限らず電子部品を有する基板を搭載し、腐食もしくは金属摩耗粉等がふりかかる等の問題がある構成部品に適用することができる。
【００７２】
また、ディーゼルエンジン車用のモータ駆動式の絞り弁制御装置（電子制御スロットル装置）について説明したが、ガソリンエンジン車用のモータ駆動式の絞り弁制御装置にも適用できる。
【００７３】
さらに、回転角度検出センサとして、例えば、アクセルの回転角度を検出するセンサにも適用できる。
【００７４】
ターボチャージャの可動翼制御用アクチュエータの回転角度検出装置にも適用できる。
【００７５】
自動変速機のギアシフトアクチュエータの回転角度検出装置にも適用できる。
【００７６】
２駆，４駆切り替えアクチュエータの回転角度検出装置にも適用できる。
【符号の説明】
【００７７】
１  ボア
２  スロットル弁
３  スロットルシャフト
４，５，１７，２１，２６  ねじ
６  スロットルボディ
７，８  軸受ボス部
９，１０  軸受
１１  キャップ
１２  シールリング
１３  スロットルギア
１４  金属プレート
１５  樹脂成形部
１６  リターンスプリング
１８  導電体
１９  樹脂ホルダ
２０  モータ
２２  モータギア
２３  中間ギア
２４  ギアシャフト
２５  ギアカバー
２５ａ  隔壁
２７  ギア収納室
２８  励磁導体
２９  信号検出導体
３０  薄肉樹脂材
３１  シール部材
【図１】
2011002312.tif 000003
【図２】
2011002312.tif 000004
【図３】
2011002312.tif 000005
【図４】
2011002312.tif 000006
【図５】
2011002312.tif 000007
【図６】
2011002312.tif 000008
【図７】
2011002312.tif 000009
【図８】
2011002312.tif 000010
【図９】
2011002312.tif 000011